(57)【要約】【課題】  部品点数が少なくて、インク補充のための手数も簡略で、一連の作業中に手指を汚すことがなく、経済的にも環境の面でも好ましい筆記具を提供する。【解決手段】  基端をインクカートリッジ挿込口１２とする軸筒１１の筒先のペン芯保持部１３にペン芯１４を挿着した筆記具本体１に、インク吸蔵体２２が筒状容器２１に充填されたインクカートリッジ２を挿込んでインクカートリッジ２の後端に形成した尾栓部１３によりインクカートリッジ挿込口１２を封止するとともにペン芯１４の基部をインク吸蔵体２２に埋没させ、筆記具本体１の軸筒内面とインクカートリッジ２の筒状容器外面にはインクカートリッジ２の回動により係脱されてインクカートリッジ２を筆記具本体１に着脱自在とする固定側ストッパ部３１と可動側ストッパ部３２とよりなるバヨネット式ストッパ機構を設けた。【選択図】  図１
2006272605.tif 000002
【特許請求の範囲】
【請求項１】
基端をインクカートリッジ挿込口(12)とする軸筒(11)の筒先にペン芯保持部(13)を設けてこれにインク自吸性のあるペン芯(14)を挿着した筆記具本体(1) と、この筆記具本体(1) の軸筒(11)に挿入される筒状容器(21)にインク吸蔵体(22)を充填したインクカートリッジ(2) とよりなり、筆記具本体(1) のインクカートリッジ挿込口(12)を軸筒(11)に挿入したインクカートリッジ(2) の後端に形成されている尾栓部(23)により封止するとともに筆記具本体(1) のペン芯(14)の基部をインク吸蔵体(22)に埋没させた筆記具であって、筆記具本体(1) の軸筒内面とインクカートリッジ(2) の筒状容器外面に、このインクカートリッジ(2) を回動させることにより係脱されて筆記具本体(1) に対してインクカートリッジ(2) を着脱自在とする固定側ストッパ部(31)と可動側ストッパ部(32)とよりなるバヨネット式ストッパ機構を設けてあることを特徴とする筆記具。
【請求項２】
筆記具本体(1) の軸筒(11)にそのカートリッジ挿込口(12)から先方に向けられた指当て部介入用の切欠(15)、(15)を対向して設ける一方、インクカートリッジ(2) の筒状容器(21)の外面には前記した切欠(15)の幅より幅狭で、インクカートリッジ(2) が軸筒(11)内に挿し込まれたときに前記した切欠(15)の内部に介入される指当て部(24)を設けてある請求項１に記載の筆記具。          
【請求項３】
筆記具本体(1) の軸筒内面に軸方向に延びる棒状のガイド隆起(4）が設けられていてその先端が固定側ストッパ部(31)とされる一方、インクカートリッジ(2) の筒状容器外面には軸方向に延びる矢形低隆起(5）が設けられていてその矢柄部(51)に続く矢尻部（52）の顎端が可動側ストッパ部(32)とされている請求項１または２に記載の筆記具。
【請求項４】
矢尻部（52）の先端が尖り先から可動側ストッパ部(32)に向かう弧状ガイド部(53)とされていて、インクカートリッジ(2) が軸筒(11)内に挿し込まれる過程でこの弧状ガイド部(53)が棒状のガイド隆起(4）の後端に当たってインクカートリッジ(2) が軸筒(11)内の定位置に挿入されるようガイドするものとした請求項３に記載の筆記具。
【請求項５】
インクカートリッジ(2) の筒状容器外面に矢形低隆起(5）の矢柄部(51)に沿って筆記具本体(1) のガイド隆起(4）を受け入れる細長凹部（6)が設けられている請求項２〜４のいずれかに記載の筆記具。          
【発明の詳細な説明】
【技術分野】
【０００１】
本発明は、筒先のペン芯保持部にインク自吸性のあるペン芯を挿着した筆記具本体と、この筆記具本体に挿入されるインク吸蔵体方式のインクカートリッジとよりなる筆記具に関するものである。
【背景技術】
【０００２】
筒先のペン芯保持部にインク自吸性のあるペン芯を挿着した筆記具本体と、この筆記具本体に挿入されるインク吸蔵体方式のインクカートリッジとよりなり、このインクカートリッジを筆記具本体の軸筒に挿し込んでインク吸蔵体にペン芯の基部を埋没させた筆記具は広く知られているが、従来のこの種の筆記具においては使い捨て式のインクカートリッジを用いているため、このインクカートリッジを交換しやすいように、筆記具本体が筒先のペン芯保持部にペン芯を挿着した軸筒とその後端開口を塞ぐ尾栓とよりなるものとするか、筒先のペン芯保持部にペン芯を挿着した首座に把持筒を螺着したものとしてあり、いずれにしても２部材よりなる筆記具本体とインクカートリッジとよりなるものであって、部品点数が多くなるうえ、尾栓の開閉や首座に把持筒を螺着する手数或いはカートリッジの抜き出しその他インク補充のための手数が面倒であり、また、カートリッジの交換作業中に手指を汚しやすいものであり、さらに、使い捨て式のインクカートリッジは経済的にも環境の面でも好ましくないなどいくつかの問題点を有するものであった。
【特許文献１】実開平６−３６８８号公開公報
【特許文献２】特開２００２−６７５７３号公開公報
【発明の開示】
【発明が解決しようとする課題】
【０００３】
本発明が解決しようとするところは、前記のような問題点を解決して、部品点数を少なくできるうえに、尾栓の開閉や首座に把持筒を螺着する手数或いはカートリッジの抜き出しその他のインク補充のための手数を簡略化でき、しかも、これら一連の作業中に手指を汚すことがないうえに、経済的にも環境の面でも好ましい筆記具を提供することを目的とするものである。
【課題を解決するための手段】
【０００４】
前記した課題を解決した本発明の筆記具は、基端をインクカートリッジ挿込口とする軸筒の筒先にペン芯保持部を設けてこれにインク自吸性のあるペン芯を挿着した筆記具本体と、この筆記具本体の軸筒に挿入される筒状容器にインク吸蔵体を充填したインクカートリッジとよりなり、筆記具本体のインクカートリッジ挿込口を軸筒に挿入されたインクカートリッジの後端に形成してある尾栓部により封止するとともに筆記具本体のペン芯の基部をインク吸蔵体に埋没させた筆記具であって、筆記具本体の軸筒内面とインクカートリッジの筒状容器外面に、このインクカートリッジを回動させることにより係脱されて筆記具本体に対してインクカートリッジを着脱自在とする固定側ストッパ部と可動側ストッパ部とよりなるバヨネット式ストッパ機構を設けてあることを特徴とするものを基本構成とする。
【０００５】
そして、前記した筆記具において、筆記具本体の軸筒にそのカートリッジ挿込口から先方に向けられた指当て部介入用の切欠を対向して設ける一方、インクカートリッジの筒状容器の外面には、前記した切欠の幅より幅狭で、インクカートリッジが軸筒内に挿し込まれたときに前記した切欠の内部に介入される指当て部を設けておくことにより体裁をよくするとともにインクカートリッジを軸筒内に一層挿し込みやすくしたものを請求項２の発明とし、また、前記した各発明において、筆記具本体の軸筒内面に軸方向に延びる棒状のガイド隆起を設けてその先端を前記した固定側ストッパ部とする一方、インクカートリッジの筒状容器外面には軸方向に延びる矢形低隆起を設けてその矢柄部に続く矢尻部の顎端を前記した可動側ストッパ部とすることにより、インクカートリッジが筆記具本体の軸筒内に円滑に挿入されるようにしたものを請求項３の発明とし、この発明における矢尻部の先端を尖り先から可動側ストッパ部に向かう弧状ガイド部としておくことにより、インクカートリッジが軸筒内に挿し込まれる過程でこの弧状ガイド部が棒状のガイド隆起の後端に当たってインクカートリッジが軸筒内の定位置に挿入されるようガイドされるようにしたものを請求項４の発明とする。
【０００６】
さらに、前記した請求項２〜４の発明において、インクカートリッジの筒状容器外面に矢形低隆起の矢柄部に沿った細長凹部を設けてこれに筆記具本体のガイド隆起を入り込むようにしておくことにより、固定側ストッパ部と可動側ストッパ部とが係合する以前のインクカートリッジを軸筒内に挿し込んだだけの状態でもインクカートリッジが抜け落ちないようにしたものを請求項５の発明とする。
【発明の効果】
【０００７】
このような筆記具は、筒先のペン芯保持部にインク自吸性のあるペン芯を挿着した筆記具本体と、この筆記具本体に挿入されるインク吸蔵体方式のインクカートリッジとの２部材でよいので部品点数が少なくなる。また、筆記具本体のインクカートリッジ挿込口は軸筒に挿入されたインクカートリッジの後端に形成してある尾栓部により封止されるので、専用の蓋がないにもかかわらずインク漏れが生じることがないうえにきわめて体裁がよくまた、蓋の開閉の手間も要しない。さらに、筆記具本体とインクカートリッジとの結合に、筆記具本体の軸筒内面に設けた固定側ストッパ部と、インクカートリッジの筒状容器外面に設けた可動側ストッパ部とよりなるバヨネット式ストッパ機構を採用したので、インク切れが生じたときにはインクカートリッジを一方向に回動させてその外面にある可動側ストッパ部と筆記具本体内面にある固定側ストッパ部との係止を解いたうえインクカートリッジを引き抜けば、インクカートリッジは筆記具本体から簡単に分離される。従って、インクカートリッジを使い捨て式としたときには新規なものへの交換を簡単に行うことができるし、インクカートリッジを使い捨て式とせずにインクカートリッジの筒状容器を軸筒と同様に強度的にもデザイン的にも優れたものとしておくことにより、筆記具本体から抜き出したインクカートリッジの先端開口より内部のインク吸蔵体にインクを補充するだけで繰り返し使用することができる。
【０００８】
このように新規な或いはインク補充済のインクカートリッジを筆記具本体に組み込む時には、インクカートリッジを軸筒の基端のインクカートリッジ挿込口を通じて筆記具本体の内部に挿し込んだうえ、これを前記した分離時とは逆方向に回動させてその外面にある可動側ストッパ部を筆記具本体内面にある固定側ストッパ部に係止させれば、バヨネット式ストッパ機構によりインクカートリッジは筆記具本体に対して的確容易に一体化されて筆記可能な状態となり、この間インクが手指に触れることがないので手指や周囲を汚すこともない。
【０００９】
また、前記した筆記具において、筆記具本体の軸筒にそのカートリッジ挿込口から先方に向けられた指当て部介入用の切欠を対向して設ける一方、インクカートリッジの筒状容器の外面には、前記した切欠の幅より幅狭で、インクカートリッジが軸筒内に挿し込まれたときに前記した切欠の内部に介入される指当て部を設けたものは、体裁がよいうえにこの指当て部が筆記するうえでも有効であり、しかも、インクカートリッジを軸筒内に挿し込むうえでも一層便利なものとなる。さらに、筆記具本体の軸筒内面に軸方向に延びる棒状のガイド隆起を設けてその先端を前記した固定側ストッパ部とする一方、インクカートリッジの筒状容器外面には軸方向に延びる矢形低隆起を設けてその矢柄部に続く矢尻部の顎端を前記した可動側ストッパ部としたものは、棒状のガイド隆起と矢形低隆起の案内下にインクカートリッジが筆記具本体の軸筒内に円滑に挿入されることとなり、特に、矢尻部の先端を尖り先から可動側ストッパ部に向かう弧状ガイド部としたものは、インクカートリッジが軸筒内に挿し込まれる過程でこの弧状ガイド部が棒状のガイド隆起の後端に当たってインクカートリッジが軸筒内の定位置に挿入されるようガイドされるのでインクカートリッジを軸筒に挿し込むときに位置決めの必要がなくて一層便利なものとなる。さらにまた、インクカートリッジの筒状容器外面に矢形低隆起の矢柄部に沿った細長凹部を設けておけば、この細長凹部に筆記具本体のガイド隆起が入り込んで固定側ストッパ部と可動側ストッパ部とが係合される以前においてもインクカートリッジが抜け落ちることがない。
【発明を実施するための最良の形態】
【００１０】
次に、本発明の好ましい実施の形態を図面を参考にしながら詳細に説明する。
１は筆記具本体、２はこの筆記具本体１に挿脱自在に挿し込まれるインクカートリッジである。前記した筆記具本体１は硬質の合成樹脂材よりなる軸筒１１の基端をインクカートリッジ挿込口１２に形成するとともに筒先をペン芯保持部１３が狭窄形成された首座部としてこの軸筒１１の前記したペン芯保持部１３にインク自吸性のあるペン芯１４を挿着したものである。一方、前記したインクカートリッジ２は硬質または半硬質の合成樹脂材により前記した軸筒１１に挿し込むことができる径として成形された筒状容器２１の内部に中綿式のインク吸蔵体２２を充填したものであって、このインクカートリッジ２は前記したインクカートリッジ挿込口１２を通じて軸筒１１に挿し込まれたときに軸筒１１の先端開口を通じて内部のインク吸蔵体２２にペン芯１４の基部が埋没されるものとしてあり筆記具本体１にインクカートリッジ２が組み付けられたときには筆記具本体１のインクカートリッジ挿込口１２は軸筒１１に挿入されたインクカートリッジ２の後端に形成してある尾栓部２３により封止されるものとしてある。なお、７は筆記具本体１の首座部に嵌装されるキャップである。
【００１１】
また、前記した筆記具本体１の軸筒１１の内面とインクカートリッジ２の筒状容器２１の外面には、軸筒１１の内部に挿し込まれているこのインクカートリッジ２を回動させることにより係脱される位置に、筆記具本体１に対しインクカートリッジ２を挿脱可能な状態と、挿脱不能な状態との２態様をとる固定側ストッパ部３１と可動側ストッパ部３２とよりなるバヨネット式ストッパ機構を設けて筆記具本体１に対してインクカートリッジ２が着脱できるようにしてあり、また、筆記具本体１の軸筒１１にはそのカートリッジ挿込口１２から先方に向けられた指当て部介入用の切欠１５、１５が対向して設けられている。一方、インクカートリッジ２の筒状容器２１の外面にはインクカートリッジ２が筆記具本体１の軸筒１１の内部で僅かに回動ができるように、前記した切欠１５の幅より幅狭で、インクカートリッジ２が軸筒１１内に挿し込まれたときに前記した切欠１５の内部に介入される指当て部２４を設けてある。        
【００１２】
さらに、筆記具本体１の軸筒１１の内面には軸方向に延びる棒状のガイド隆起４が設けられていてこのガイド隆起４の先端を前記した固定側ストッパ部３１とされており、一方、インクカートリッジ２の筒状容器２１の外面には軸方向に延びる矢形低隆起５が設けられていてその矢柄部５１に続く矢尻部５２の顎端が前記した可動側ストッパ部３２とされている。なお、前記した矢尻部５２の先端は尖り先から可動側ストッパ部３２に向かう弧状ガイド部５３とされていて、インクカートリッジ２が軸筒１１内に挿し込まれる過程でこの弧状ガイド部５３は棒状のガイド隆起４の後端に当って両者によりインクカートリッジ２が軸筒１１内の定位置に挿入されるようガイドするものとしてある。また、インクカートリッジ２の筒状容器２１の外面の前記した矢形低隆起５の矢柄部５１に沿う位置には筆記具本体１のガイド隆起４を受け入れる細長凹部６が設けられていて、この細長凹部６に筆記具本体１のガイド隆起４が入り込んで固定側ストッパ部３１と可動側ストッパ部３２とが係合される以前においてもインクカートリッジ２が抜け落ちることがないようになっている。
【００１３】
このように本発明は従来のこの種の筆記具のもつ問題点を解決し、部品点数を少なくできるうえに、尾栓の開閉や首座に把持筒を螺着する手数或いはインクカートリッジの抜き出しその他のインク補充のための手数を簡略化でき、しかも、これら一連の作業中に手指を汚すことがないうえに、経済的にも環境の面でも好ましいものとなる。
【図面の簡単な説明】
【００１４】
【図１】本発明の好ましい実施の形態を示す一部切欠正面図である。
【図２】筆記具本体からインクカートリッジを抜き出した状態で本発明の好ましい実施の形態を示す一部切欠斜視図である。
【図３】筆記具本体の一部切欠正面図である。
【図４】インクカートリッジの一部切欠正面図である。
【図５】本発明の好ましい実施の形態の縦断側面図である。
【符号の説明】
【００１５】
１    筆記具本体  
11    軸筒
12    インクカートリッジ挿込口
13    ペン芯保持部
14    ペン芯
15    指当て部介入用の切欠
２    インクカートリッジ
21    筒状容器
22    インク吸蔵体
23    尾栓部
24    指当て部
３    バヨネット式ストッパ機構
31    固定側ストッパ部  
32    可動側ストッパ部
４    棒状のガイド隆起
５    矢形低隆起
51    矢柄部
52    矢尻部
53    弧状ガイド部
６    細長凹部
【図１】
2006272605.tif 000003
【図２】
2006272605.tif 000004
【図３】
2006272605.tif 000005
【図４】
2006272605.tif 000006
【図５】
2006272605.tif 000007